Podtech/llm-jp-corpus-v4-ja_patent huggingface dataset:
(57)【要約】      （修正有）【課題】  ＧＰＳを利用し、鉄道車両を安全快適に運行させる為の補佐をする装置。【解決手段】  この装置は、自動車のカーナビにおいて実用化されている…その技術を鉄道車両用に応用することにより、技術的課題は克服できる。  選択図に示されるように、ＧＰＳ受信装置１からの位置情報と、走行距離計測装置３からの積算距離データを、記憶装置２に保存されている鉄道路線の位置、速度、時間等の情報と照らし合わせて、駅までの距離やその時点での適正速度等を、表示装置６または音声装置７で運転士にリアルタイムで知らせることを特徴とする。  また、この装置を発展的に応用すれば、速度がオーバーした場合に音声による警告や、事故の多い踏切が近づいた時に、注意をうながすことも出来る。更に、この装置を車掌室にも設置すれば、運転士の体調が悪い時等の異変時にも車掌が対応し易くなる。【選択図】図１
2006340591.tif 000002
【特許請求の範囲】
【請求項１】
鉄道車両において、ＧＰＳ（全地球測位システム）による位置情報を取得し、次の停車駅までの距離や、速度規制地点までの距離をモニター画面に表示する装置。
【請求項２】
鉄道車両において、ＧＰＳによる位置情報を取得し、次の停車駅までの距離や、速度規制地点までの距離を音声により知らしめる装置。
【請求項３】
鉄道車両において、路線の位置情報や速度情報をＤＶＤやＨＤＤ等に記憶させ、ＧＰＳからの位置情報と車輪の回転数による走行距離を演算し、トンネルや山間部等のＧＰＳが正常に作動しない地点でも、常に車両の現在位置を的確に把握する装置。
【発明の詳細な説明】
【技術分野】
【０００１】  本発明は、ＧＰＳによる位置情報を利用し、鉄道車両の安全運転に寄与するための鉄道車両誘導装置に関する。
【背景技術】
【０００２】  従来、鉄道の安全運転に関してはＡＴＳ装置が主流であったが、その装置には膨大な費用や期間を要するために、全路線に実施することは困難であり、また、停車駅でのオーバーランやカーブでの速度超過を無くす為の、細やかな運転士への指示をするまでには到ってなかった。【０００３】
【特許文献１】    特許公表２００１−５１６０７６
【発明の開示】
【発明が解決しようとする課題】
【０００４】  上述の如く、従来技術による安全運行システムでは不充分であり、運転士の緊張と疲労を軽減するのは困難である。【０００５】  本発明は、このような点に鑑みて成されたものであり、その目的は、鉄道車両にＧＰＳ装置を設置し、停車駅までの距離やカーブ地点までの距離をモニター表示、または音声による伝達により運転動作を補助するものである。
【課題を解決するための手段】
【０００６】    上述の目的を達成する本発明のＧＰＳによる鉄道車両誘導装置は、ＧＰＳ受信装置と記憶装置・走行距離計測装置・演算回路そしてモニター装置によって構成される。
【発明の効果】
【０００７】  本発明によれば、従来、運転士は学習と経験により、発進、加速、減速、停車を行っていたが、雨天や夜間の悪条件下においても、より安全に楽に運転が遂行できる。
更に、列車運行のデータも組込めば、次の駅は停車駅か、通過駅かの表示や、停車の際の減速中に適正速度を刻々運転士に知らせる事も可能であり、オーバーランや、うっかり通過ミスの防止にもなる。
【発明を実施するための最良の形態】
【０００８】  以下、本発明の実施の形態を図面に基づき詳細に説明する。【０００９】  図１は本発明を構成する要素を図示し、その流れを解り易くしたものである。
図２は表示装置の画面の一例である。【００１０】  図１に示すように、ＧＰＳ受信装置１からの位置情報、走行距離計測装置３からの距離情報、そして記憶装置２から駅やカーブ地点等の位置情報を取込み、そのデータを演算回路４で計算し、出力回路５を通って表示装置６や音声装置７に送られる。【００１１】  図２は表示装置（モニター画面）の一例であり、必ずしもこの通りでなくて良い。
次の駅を１に表示して停車か通過のサインも出しておく。２は時刻表の時間を表し、３に現在時刻を秒単位まで表示すれば、列車の到着が早いか遅いかが一目瞭然である。４は停止地点までの距離を数字又は棒グラフでリアルタイムで表示し、その下の５にその時点での理想的な速度を明示する。運転士はこの画面と車両の速度計を見較べながら運転すれば、オーバーラン等の失敗を少なくする事が出来る。なお、この表示装置はカーナビにも実用化されている様に、運転士にタイムラグによるストレスを与えることは少ない。【００１２】  前述した、本発明の利用法として、表示装置に映し出す方法と、それに音声もプラスした方法（カーナビの大半がこの方法）そして音声のみの利用法がある。【００１３】  前述した、本発明の車両位置検出の補助装置として、ＡＴＳよりの信号を本装置に取り込めば、より正確な位置確定ができる。
【図面の簡単な説明】
【００１４】
【図１】本発明の構成図である。
【図２】表示装置の一例を示す図である。
【図１】
2006340591.tif 000003
【図２】
2006340591.tif 000004
(57)【要約】      （修正有）【課題】電波を入力とした電池。【解決手段】電波をアンテナでうけ、それをコヒーラに流し、コヒーラより電流をだす。それを整流器で直流にする電波をうけれる間出力があり、又その出力も、コヒーラの量を多くすれば大きくなる。【効果】何回も使った２次電池もいつかはすてねばならぬが、これはより長く大丈夫。金属がとける化学変化のものではないため。【選択図】図１
2006340592.tif 000002
【特許請求の範囲】
【請求項１】
一たんが、アンテナとバリコンと、及び電波を電流にかえる部分と及びその電流を直流にする部分であるところの、電波による電池
【発明の詳細な説明】
【０１】電気〔従事〕
【０２】電波による電池はなかった。〔課題〕
【０３】電波を入力とする電池。又電波も限定なし。〔方法〕
【０４】▲１▼バルボラかループの、アンテナで電波をうける。バリコンは４０ｋＨｚの標準電波か中波のラジオ波にあわせ、固定。▲２▼その電圧を、「コヒーラ」のニッケルか銀の粉に与える  コヒーラの量多し。又コイルで代用してもよい。▲４▼そこででた電流を、整流器で直流にする  なお整流器は半導体以外の方がよい。電流がへらないため。▲５▼そこからの導線でとれた力は、負荷につなげば、電波がある以上は電池であるコヒーラの量により、２Ｖ〜。〔実施例〕
【０５】〔０４〕の方法に同上〔効果〕
【０６】標準電波の４０ｋＨｚをうければ、２４Ｈの、どこででもの、電波電池であるアンテナやコヒーラを大きくすれば更に出力も大きくなる何回も使った２次電池もいつかはすてねばならぬが、これはより長く大丈夫。ただコンパクトではない。
【図面の簡単な説明】
【図１】〔請求項１〕に対応するところの概念図である
【符号の説明】
１は  アンテナ２は  バリコン３は  コヒーラ４は  整流器
【図１】
2006340592.tif 000003
(57)【要約】      （修正有）【課題】従来のモーター及び機械は電力を消費するだけのものであった。そこで、電力のリサイクルを行う。【解決手段】発電装置をモーターに直接又は、フライホイールのような２次動力に取り付け、モーターの回転動力を利用し、発電する。エアコン室外機ファン用モーター、機械のモーター、機械のモーターに付いているギヤー及びフライホイール等から回転動力を受け発電する。【選択図】図２
2006340589.tif 000002
【特許請求の範囲】
【請求項１】
モーターの回転動力を利用し発電装置を動かし電気を発生させ、モーターに供給する。及び別の用途にて再利用する。
【請求項２】
請求項１記載の一体型エコモーター、及び既製のモーターやフライホイールのような二次動力にあとづけするタイプ。
（例）エアコン室外機ファン用モーター、機械のモーター、機械のモーターに付いているギヤー及びフライホイール等から回転動力を受け発電する。
【発明の詳細な説明】
【技術分野】
【０００１】電力のリサイクルを目的にモーター及び機械の回転動力を利用した発電に関する。
【背景技術】
【０００２】自動車のようにエンジンの回転を利用したもの、自然力（風力、太陽光）を利用したものはあります。
【発明の開示】
【発明が解決しようとする課題】
【０００３】電力そのものをリサイクルする。
【課題を解決するための手段】
【０００４】モーターの回転動力を利用する。
【発明の効果】
【０００５】環境にやさしい製品。
【図面の簡単な説明】
【０００６】
【図１】発電装置一体型モーターの側面図
【図２】モーター使用機械に発電装置を付けた側面図
【図１】
2006340589.tif 000003
【図２】
2006340589.tif 000004
(57)【要約】【課題】  前方にある音源から発せられる音を漏れなく集めて、臨場感を高めることができる集音器を提供すること。【解決手段】  耳１の後側に位置して、耳１より大きな形状の左右の集音部２と、左右の集音部２を保持するヘッドバンド３とからなる。ヘッドバンド３を頭に被ると、集音部２が耳１の後側に位置して、耳１の後方を覆う。集音部２は、ヘッドバンド３に回動自在に支持されているので、集音部２を傾けることにより、前方にある音源の位置に合わせて対向させることが可能となる。【選択図】  図１
2006157754.tif 000002
【特許請求の範囲】
【請求項１】
耳の後側に位置して、耳より大きな形状の左右の集音部と、該左右の集音部を保持するヘッドバンドとからなり、前記集音部は、音源に向くように前記ヘッドバンドに回動自在に支持されていることを特徴とする集音器。
【発明の詳細な説明】
【技術分野】
【０００１】
本発明は、劇場、講演会場、遊技場等での使用に適した集音器に関する。
【背景技術】
【０００２】
テレビ等の音声を聞き取りやすくしたり、音楽演奏の音響効果を高めるために使用される従来の集音器としては、例えば特許文献１に記載されているように、中を空洞にした楕円の半球状で前面を切り欠いた左右一対の本体を保持部で保持したものがある。この集音器は、保持部を頭に被り、本体を耳に被せた位置に保持して、使用される。
【０００３】
【特許文献１】特開平１１−２０５８８２号公報
【発明の開示】
【発明が解決しようとする課題】
【０００４】
上記の集音器では、本体は耳を覆う形状とされており、前面が切り欠かれているので、顔の真正面からくる音に対しては十分な集音効果を発揮できる。そのため、テレビが置かれた室内のように、限られた範囲に音源がある空間での使用には適している。しかし、劇場、講演会場のように音源が前方に分散して多数ある空間や、遊技場のゲーム機のように前方の音源からステレオ感のある音が発せられる空間において使用する場合には、前方の左右からくる必要な音を遮断してしまい、臨場感が得られない。
【０００５】
本発明は、上記技術的課題に鑑みなされたもので、前方にある音源から発せられる音を漏れなく集めて、臨場感を高めることができる集音器を提供することを目的とする。
【課題を解決するための手段】
【０００６】
上記目的を達成するため、本発明に係る集音器は、耳の後側に位置して、耳より大きな形状の左右の集音部と、該左右の集音部を保持するヘッドバンドとからなり、前記集音部は、音源に向くように前記ヘッドバンドに回動自在に支持されている。
【０００７】
ヘッドバンドを頭に被ると、集音部が耳の後側に位置して、耳の後方を覆う。これによって、耳が大きくなった状態となり、前方の左右の音源からくる音を漏れなく捉えることができる。後方や側方からくる対象外の音は、集音部によって遮られるので、耳には届かない。
【０００８】
また、集音部はヘッドバンドに対して回動自在であるので、集音部を傾けて、音源の位置に合わせて集音部の角度を調整するとよい。これによって、集音部を音源に対して対向させることができ、より一層集音効果が高まる。
【発明の効果】
【０００９】
本発明の集音器を劇場、講演会場、遊技場等において用いることにより、前方に広がって位置する音源からの音が漏れなく集められ、高い集音効果が得られ、臨場感を高めることができるとともに、頭の輪郭に沿って装着することができる。
【発明を実施するための最良の形態】
【００１０】
以下、本発明の実施の形態を添付図面に基づき詳細に説明する。
【００１１】
図１〜図３を参照して、本実施形態の集音器は、耳１の後側に位置して、耳１より大きな形状の左右の集音部２と、これら左右の集音部２を保持するヘッドバンド３とからなる。
【００１２】
集音部２は、椀（又は皿）を半分に切断したような形状とされ、耳１を収容する空間が形成される。この空間は、前方が開放され、後方および側方が閉塞されている。集音部２の頭側の端縁には、スポンジ等のクッション４が装着され、集音部２が側頭部に接触するときの緩衝となる。また、集音部２の裏面側には回動軸受け６が取り付けられている。
【００１３】
ヘッドバンド３は、弾性変形可能な合成樹脂製あるいは板ばね製とされる。その両端に、集音部２が回動軸５及び回動軸受け６を介して取り付けられる。これにより、集音部２はヘッドバンド３に前後左右に回動自在に支持され、ヘッドバンド３に対して前傾あるいは後傾可能となる。
【００１４】
上記構成の集音器は、使用者の頭に被せられて、使用される。ヘッドバンド３は、頭を挟み込むようにして固定される。このとき、集音部２は、その半椀形状の中空部を前方に開放するようにして耳１の後側に位置し、耳１の後方および側方を覆う。すなわち、使用者が集音器を装着すると、半椀形状の中空部に耳１が収容されて、耳１が大きくなった状態となる。
【００１５】
そして、劇場、講演会場、遊技場等のように、前方の左右にわたって音源が位置する空間において、集音器を装着した使用者は、これらの音源に対向して位置し、音源からの音を受ける。このとき、音源の位置に合わせて集音部２を傾け、集音部２が音源に向くように角度を調整する。
【００１６】
集音部２は、前方の左右からくる音を漏らすことなく集め、これを反射して、耳１に伝達する。また、後方や側方からくる雑音は集音部２によって遮断されるので、使用者には雑音が聴こえない。
【００１７】
したがって、音を受ける面積が大きくなって、前方の左右からくる音も捉えることができ、集音効果が高まり、臨場感溢れる音を聴くことができる。
【００１８】
なお、本発明は上記実施の形態に限定されるものではなく、本明細書に添付した特許請求の範囲内での種々の設計変更及び修正を加え得ることは勿論である。
【産業上の利用可能性】
【００１９】
本発明では、前方にある音源から発せられる音を漏れなく集めて、臨場感を高めることができるから、劇場、講演会場、遊技場等での使用に適した集音器として有用である。
【図面の簡単な説明】
【００２０】
【図１】本発明の実施形態の集音器の使用状態を示す図
【図２】集音器の背面図
【図３】図２のＩ−Ｉ断面図
【符号の説明】
【００２１】
１  耳
２  集音部
３  ヘッドバンド
４  クッション
５  回動軸
６  回動軸受け
【図１】
2006157754.tif 000003
【図２】
2006157754.tif 000004
【図３】
2006157754.tif 000005
(57)【要約】【課題】医療分野における携帯無線機は軽量小型が要求される一方、電池切れなどは許されない。  すなわち大容量の電池を使用したいが、軽量小型化のためには使用できないという問題があった。  また、間欠受信で消費電力を抑え、この問題を解決する技術も考えられているが制御が複雑になる。  更には、充電式の電源では小まめな充電が必要となる。  そこで本発明はこれらの問題を解決し、随時、自動的に充電を行う充電手段を有する携帯無線機の提供を課題とする。【解決手段】アンテナで捉えた電波を整流、平滑して蓄電池を充電し、蓄えられた電力で無線回路を動作させることにより課題を解決する。【選択図】図１
2006157586.tif 000002
【特許請求の範囲】
【請求項１】
アンテナと前記アンテナで捉えた電波を選択する選択回路と選択された電波を整流する整流回路と前記整流回路からの電流を平滑する平滑回路と平滑された電流を蓄える蓄電池と有し前記蓄電池に蓄えられた電力で動作することを特徴とする携帯無線機。
【請求項２】
前記蓄電池の充電状況を検出し、充電完了時は発光及び発音させ充電完了を知らせることを特徴とする請求項１記載の携帯無線機。
【発明の詳細な説明】
【技術分野】
【０００１】
本発明は携帯無線機器に関する。
【背景技術】
【０００２】
開示した特許文献のように、医療分野においても携帯無線機が利用されている。同様な無線機は緊急時に用いるものであり、必要な時に電池切れで使用できないなど許されない。  一方、弱者に携帯させることから軽量小型が要求される。  軽量小型を実現する為に大容量の電池が使用できず、電池切れの問題と矛盾する。開示した特許文献では、間欠受信で消費電力を抑え、この問題を解決している。
【特許文献１】特開平１０−１１７３６６号  公開公報
【発明の開示】
【発明が解決しようとする課題】
【０００３】
ところで、充電忘れがなければ、同様の無線機は充電式のほうが便利である。また、充電する機会が多ければ蓄電池も小型のものが使用できる。そこで本発明は、随時、自動的に充電を行う充電手段を有する携帯無線機の提供を課題とする。    
【課題を解決するための手段】
【０００４】
アンテナで捉えた電波を整流、平滑して蓄電池に加えることにより課題を解決する。    
【発明の効果】
【０００５】
アンテナで捉えた電波を整流、平滑して蓄電池に加え、蓄えられた電力により動作するので、小型且つ電池切れの心配のない携帯無線機を実現できる。  
【発明を実施するための最良の形態】
【０００６】
本発明の実施例の１つを図を用いて説明する。アンテナは本来の通信に用いられると共に、空間中の他の電波も捉える。図示しないが通信に用いられるアンテナと、空間中の他の電波を捉えるアンテナをそれぞれ別に設けてもよい。        
【０００７】
選択回路は通信で使用しない電波を選択する。  具体的な回路はコイルとコンデンサによる共振回路などが考えられる。        
【０００８】
選択回路によって選択された電波は整流回路によって整流される。        
【０００９】
整流回路からの電流はリップル成分が含まれているので平滑回路で平滑される。        
【００１０】
リップル成分等が除去された電流は蓄電池に供給され蓄電池を充電する。        
【００１１】
電圧変換回路は蓄電池に充電された電圧を無線回路などの付加が要求する電圧に変換し付加に供給する。        
【００１２】
無線回路は無線通信に用いられ、音声やデータを送受する。        
【００１３】
充電状態検出回路は電圧や電流の変化を監視して充電完了を検出するものである。  同機能を実現するＩＣが既に多くのメーカから多品種販売されているので、これらを用いればよい。    
【図面の簡単な説明】
【００１４】
【図１】・・・本発明の携帯無線機
【図１】
2006157586.tif 000003
(57)【要約】【課題】遠隔地の宛先へデータ・ファイルを送信するために使用する無線通信経路の選択を決定する際に、一組のユーザの優先順位に従って、予め定めたパラメータと測定したパラメータを利用する多重プロトコル経路選択最適化を使用する無線通信交換システム（１０）。【解決手段】この交換システム（１０）は、上記データ・ファイルを記 憶するための第一のメモリ（３０）と、予め定めたパラメータを記憶するための第二のメモリ（２２）と、一組のユーザの優先順位を記億するための第三のメモリと、各無線通信経路に関連する可変パラメータの数値を測定するための手段（２４）と、プロセッサ手段を持ち、このプロセッサ手段は、第二のおよび第三のメモリ（２２および２３）と、複数の無線通信経路の中のどれを使用すべきかを決定するためのパラメータと動作上関連している。【選択図】図１
2006157939.tif 000002
【特許請求の範囲】
【請求項１】
各々が、データファイルを遠隔地の宛先に転送し得る関連する遠隔電気通信経路に相互接続された複数個のインターフェースを含む遠隔電気通信システムであって、該遠隔通信経路の各々が、異なるメディアタイプを有し、そして該変換システム内のメモリに記憶された、該経路と関連する予め定められたパラメータと、該経路と関連する可変パラメータとを含むような遠隔電気通信システムにおいて、データファイルを転送するために、該複数個の遠隔電気通信経路のうちのどれを使用すべきかを決定する方法であって、
ａ）各経路に対する該可変パラメータを測定するステップと、
ｂ）該測定された可変パラメータ、および該予め定められたパラメータを分析するステップと、
ｃ）該経路のうちのどれが、遠隔地の宛先にファイルを転送するための最適な一組の特性を提供するかを決定するステップとを含む方法。
【発明の詳細な説明】
【技術分野】
【０００１】
2006157939.tif 000003
【背景技術】
【０００２】
2006157939.tif 000004
【０００３】
2006157939.tif 000005
【発明の開示】
【発明が解決しようとする課題】
【０００４】
2006157939.tif 000006
【０００５】
2006157939.tif 000007
【０００６】
2006157939.tif 000008
【課題を解決するための手段】
【０００７】
2006157939.tif 000009
【０００８】
2006157939.tif 000010
【発明を実施するための最良の形態】
【０００９】
2006157939.tif 000011
【００１０】
2006157939.tif 000012
【００１１】
2006157939.tif 000013
【００１２】
2006157939.tif 000014
【００１３】
2006157939.tif 000015
【００１４】
2006157939.tif 000016
【００１５】
2006157939.tif 000017
【００１６】
2006157939.tif 000018
【００１７】
2006157939.tif 000019
【００１８】
2006157939.tif 000020
【図面の簡単な説明】
【００１９】
【図１】図１は、多重プロトコル経路選択最適化を使用する、本発明の交換システムの機能ブロック図である。
【図２】図２は、本発明により実行される主要経路のフローチャートである。
【図３】図３は、本発明により実行されるインターフェース分析サブルーチンの、フローチャートである。
【図１】
2006157939.tif 000021
【図２】
2006157939.tif 000022
【図３】
2006157939.tif 000023
(57)【要約】【課題】Ａ／Ｄコンバーターを複数組み合わせて使用しアナログ信号を浮動小数点デジタルデータに変換を実現する技術を提供することである。【解決手段】Ａ／Ｄコンバーターを複数組み合わせて使用し、アナログの入力信号を指数部用Ａ／Ｄコンバーターにて変換出力し、その値を浮動小数点の指数部とする。その指数部に見合った増幅率（減衰率）で、元の入力信号であるアナログ信号を増幅（減衰）し、小数部用Ａ／Ｄコンバーターにて変換出力された値を浮動小数点ディジタルデータの小数部とする。各Ａ／Ｄコンバーターに入力するアナログ信号は同じタイミングになるように、必要に応じてＤＥＬＡＹを設ける。このことによって、アナログ信号を浮動小数点デジタルデータに変換することを特徴とする。【選択図】図１
2006157843.tif 000002
【特許請求の範囲】
【請求項１】
Ａ／Ｄコンバーターを複数組み合わせて使用し、アナログ信号を浮動小数点ディジタルデータに変換する装置。Ａ／Ｄコンバーターを複数組み合わせるとは、アナログの入力信号を指数部用Ａ／Ｄコンバーターにて変換出力し、その値を浮動小数点の指数部とする。その指数部に見合った増幅率（減衰率）で、元の入力信号を増幅（減衰）し、小数部用Ａ／Ｄコンバーターにて変換出力された値を浮動小数点ディジタルデータの小数部とする。各Ａ／Ｄコンバーターに入力するアナログ信号は同じタイミングになるように必要に応じてＤＥＬＡＹを設ける。このことによって、アナログ信号を浮動小数点ディジタルデータに変換することを特徴とする装置。
【発明の詳細な説明】
【技術分野】
【０００１】本発明は、Ａ／Ｄコンバーターを複数組み合わせて使用し浮動小数点Ａ／Ｄコンバーターを実現する技術に関する。
【背景技術】
【０００２】従来、Ａ／Ｄコンバーターは１つのＡ／Ｄコンバータにてアナログ信号をディジタルデータに変換することで実現されていた。例えば以下のようなものがある。【０００３】音源のアナログ信号をディジタルデータに変換し、アナログ信号の音源データをディジタルデータに変換出力する装置である。【０００４】様々なアナログデータを計測する機器において、ディジタルデータに変換し出力する装置がある。
【発明の開示】
【発明が解決しようとする課題】
【０００５】従来の技術においては、アナログ信号をそのままＡ／Ｄコンバーターにおいて浮動小数点ディジタルデータに変換することが困難であった。【０００６】本発明の課題は、上記問題点に対して、Ａ／Ｄコンバーターを複数組み合わせて使用し、アナログ信号を浮動小数点ディジタルデータへの変換を実現することである。
【課題を解決するための手段】
【０００７】上記の課題を解決するために、以下のような構成と特徴を本発明は備えている。本発明の構成及び特徴は以下に示す図面の符号などを併用して説明を示す。【０００８】請求項１の記述による発明において、Ａ／Ｄコンバーターを複数組み合わせて使用し、アナログ信号を浮動小数点ディジタルデータに変換するとは、アナログの入力信号から指数部用のＡ／Ｄコンバーターにて変換出力し、その値を浮動小数点の指数部とする。その指数部に見合った増幅率（減衰率）で、元の入力信号であるアナログ信号を増幅（減衰）し、小数部用Ａ／Ｄコンバーターにて変換出力された値を浮動小数点ディジタルデータの小数部とする。各Ａ／Ｄコンバータに入力するアナログ信号は同じタイミングになるように、必要に応じてＤＥＬＡＹを設ける。そのことから、アナログ信号を浮動小数点ディジタルデータに変換することを特徴としている。
【本発明の効果】
【０００９】本発明によると、Ａ／Ｄコンバーターを複数組み合わせて使用し、アナログ信号を浮動小数点ディジタルデータに変換することを容易に実現できる。
【発明を実施するための最良の形態】
【００１０】実施するための形態を以下の図面を参照しながら説明を記述する。【００１１】図１および図２は浮動小数点Ａ／Ｄコンバーターの構成を示す概念図である。アナログ信号を指数部用Ａ／Ｄコンバーターにて変換し、その出力値を浮動小数点のデジタルデータの指数部とする。その指数部に見合った増幅率（減衰率）で、元のアナログ信号を増幅（減衰）する。そのアナログ信号を小数部用Ａ／Ｄコンバーターにて変換出力し、その出力値を浮動小数点ディジタルデータにおける小数部とする。これらの構成によって、アナログ信号を浮動小数点ディジタルデータに変換する図である。【００１２】Ａ／Ｄコンバーター２は浮動小数点の指数部用のものである。【００１３】Ａ／Ｄコンバーター３は浮動小数点の小数部用のものである。【００１４】増幅用（減衰用）の素子４。【００１５】増幅（減衰）する信号５。【００１６】ＤＥＬＡＹ６、必要に応じて設ける。【００１７】上で述べた実施形態において、アナログ信号を浮動小数点ディジタルデータに変換することを実現する。
【実施例】
【００１８】Ａ／Ｄコンバーターを複数組み合わせて使用し、アナログ信号を指数部用Ａ／Ｄコンバーターにて変換出力し、その出力値を浮動小数点ディジタルデータにおける指数部とする。その指数部に見合った増幅率（減衰率）で、元の入力信号を増幅（減衰）し、小数部用Ａ／Ｄコンバーターにて変換出力された値を、浮動小数点ディジタルデータの小数部とする。各Ａ／Ｄコンバーターに入力するアナログ信号は同じタイミングになるように必要に応じてＤＥＬＡＹを設ける。このことによって、アナログ信号を浮動小数点ディジタルデータに変換することを実現できる。
【産業上の利用可能性】
【００１９】本発明による浮動小数点Ａ／Ｄコンバーターは、アナログ信号を浮動小数点ディジタルデータに変換する際に適している。
【図面の簡単な説明】
【００２０】
【図１】本発明に対しての浮動小数点Ａ／Ｄコンバーターの構成例１の概念図である。
【図２】本発明に対しての浮動小数点Ａ／Ｄコンバーターの構成例２の概念図である。
【図３】本発明に対しての浮動小数点Ａ／Ｄコンバーターの構成例３の概念図である。
【図４】本発明に対しての指数部用Ａ／Ｄコンバータと小数部用Ａ／Ｄコンバーターに入力される信号例の概念図である。
【符号の説明】
【００２１】１  浮動小数点Ａ／Ｄコンバーターの構成例１の概念図
２  浮動小数点Ａ／Ｄコンバーターの構成例２の概念図
３  浮動小数点Ａ／Ｄコンバーターの構成例３の概念図
４  指数部用Ａ／Ｄコンバーターと小数部用Ａ／Ｄコンバーターに入力される信号例の概念図
５  浮動小数点の指数部用Ａ／Ｄコンバーター
６  浮動小数点の小数部用Ａ／Ｄコンバーター
７  増幅、減衰用素子
８  増幅する信号
９  必要に応じて、各Ａ／Ｄコンバーターに同じタイミングで入力信号が入るようにＤＥＬＡＹを設ける
１０  Ｄ／Ａコンバータ１０増幅（減衰）用
１１  増幅用（減衰用）信号
【図１】
2006157843.tif 000003
【図２】
2006157843.tif 000004
【図３】
2006157843.tif 000005
【図４】
2006157843.tif 000006
(57)【要約】【課題】    一般に流通する情報雑誌に代わる喋る情報誌（ＤＶＤ，ＩＣなど電子媒体）の販売、提供を目的とするものである。【解決手段】    予めＤＶＤ，ＩＣ，電子媒体等に情報を読み取った商品を販売することと、インターネット、Ｉモードを使い顧客が随時ホームページにアクセスする事で、最新情報のデーターを瞬時に送り情報（風俗、サービス業、ホテル業界、観光業）を購入できるシステムを使う。【選択図】    なし【特許請求の範囲】
【請求項１】
顧客の要に応えるため、最新情報をインターネットや、Ｉモードサイト上で業界が力を入れているサービス内容を明瞭且つ迅速に販売するシステムをダウンロードにて提供するものである。
【請求項２】
顧客が検索しやすい様にする為、予め顧客データーの登録を済ませ、パスワードを提供し、顧客が望む内容に瞬時にアクセス出来るシステム。
【請求項３】
請求項１・２の様に情報網が利用できない人の為に予め読み込んだ商品をコンビニエンスストア及び書店などにて購入出来るシステム。
【請求項４】
請求項２でパスワードを登録することにより、顧客は代金支払い自由化の為口座振りこみ口座引き落しが出来るシステムをとる。
【請求項５】
請求項１の内容に納得され、インターネットやＩモードにて一時的にダウンロードされた顧客のため代金支払いは口座振込み、口座引き落し、又はクレジットカードによって支払うことが出来るサービスを提供する。
【発明の詳細な説明】
【技術分野】
【０００１】  本発明は、紙面や書面の進化バージョンとすることで得をするサービス情報など、提供者側がより一層説明不足にありがちだった内容の説明を容易にし、顧客側もサービスを受ける為、様々な雑誌を買い求め思っているより情報誌に騙された気持ちの方が多いことから見る聴くことの出来るシステムを利用することで、これらのことが打破出来、本来のサービス内容通り顧客が納得出来る情報を提供する為、ＭＤ，ＣＤ，ＶＨＳ，ＤＶＤ，ＩＣ，電子媒体（以後ＤＶＤとする）を利用。今までなかった流通経路の構築も行え、サービス業界が活気ずくシステムに関するものである。
【背景技術】
【０００２】  従来一般的に宣伝、ＰＲ方法として雑誌専門誌等写真などで伝えていたが顧客に対し臨場感溢れる雰囲気まで伝えることが出来なかった。又、情報誌を購入する為店に出向く必要があった。
【発明の開示】
【発明が解決しようとする課題】
【０００３】  従来この様な欠点があった。
イ．  書店やコンビニエンスストア等でしか購入することが出来なかった。
ロ．  雑誌、専門誌で販売する為、個人で本などを再利用することが出来なかった。
ハ．  地方の顧客は多種多様の雑誌を迅速に購入する為に都心部に出向く必要と時間を余儀無くされた。
ニ．  雑誌、専門誌は本である為、子供が目にする事で教育上問題点があった。
本発明はこの様な欠点を解決する為になされたものです。
【課題を解決するための手段】
【０００４】  このような問題を解決する為利用者が増えているインターネットや、携帯電話など自分が希望するバンドに繋げダウンロードすることで購入を容易にし、支払い方法も顧客の自由方法であり、又最新情報追加が安易であるため、紙媒体には解決出来ない利点がある。【０００５】  第２の解決手段は、ＭＤ，ＣＤ，ＶＨＳ，ＤＶＤ，ＩＣ，電子媒体に情報を取り込んで、書店、コンビニエンスストアで購入出来る様にするものである。
【発明の効果】
【０００６】  発明の効果として上述した様に、子供の目に届くことが少なくなると共に使い終わった電子媒体の再利用が無駄なコスト削減に繋がる。【０００７】  又宣伝やＰＲする側にとって、今迄、伝えることが出来なかった所まで顧客に伝えることが、顧客に安心を与え業界側の信頼度が高まる効果がある。
【発明を実施するための最良の形態】
【０００８】  本発明をどの様に実施するかについて請求項１〜５に述べている様に現在急増しているインターネッや携帯電話端末を利用し購入分野の拡大を図る。各プロバイダーや宣伝ＰＲする業界との間で最新情報を密にすることで顧客側も迅速に最新情報を得ることが出来るシステムである為登録業者も顧客との間で登録を済ませパスワードなどを共有する物とする。又、顧客の中で検索することが容易でない人や、ネット上で情報利用が出来ない人の為の対処方法として、コンビニエンスストアや書店に協力を求め販売するものである。又、顧客が騙されない様、ネットやサイト上にてアクセスする人の為に価格を明確にすると共に低価格で提供出来る様一律とする。顧客の支払方法を容易にする為、銀行口座支払い、クレジット払い、コンビニ払いと支払方法を拡大する。
【産業上の利用可能性】
【０００９】  サービス業界の宣伝方法拡大を図る為、ＣＤ，ＤＶＤ，ＭＤ，ＶＨＳ，ＩＣ，など電子媒体を利用するサービス業界情報誌、ＤＶＤの販売を目的とするシステムである。
(57)【要約】【課題】携帯電話でウェブページにアクセスする場合、キー入力によりＵＲＬ入力を行っていたため、面倒であった。そこで、この発明は、ある特定の数桁の数字のキー入力と続けて相手先の電話番号をキー入力するだけで目的のウェブページへアクセスでき表示できるシステムを提供することを課題とする。【解決手段】ある特定の数桁（３桁位）の数字を入力するだけで、当システムのサーバー３に接続できる機能付き携帯電話機１、複数個の電話番号と各電話番号に対応するウェブページのアドレスが貯蔵されるウェブページアドレスデータベースと電話番号に対応するウェブページアドレスを検索して無線インターネット網２に接続する当システムのサーバー３により、ある特定の数桁の数字のキー入力と続けて相手先の電話番号をキー入力するだけで目的のウェブページ４へ簡単にアクセスできる。【選択図】図１
2006072945.tif 000002
【特許請求の範囲】
【請求項１】
インターネット接続可能な携帯電話機に、ある特定の数桁の数字をキー入力するだけで、当システムのサーバーに接続できる機能を持たせることを特徴とし、続けて相手先の電話番号をキー入力するだけで、電話番号に対応するウェブページアドレスを検索する当システムのサーバー機能により、目的のウェブページへアクセスし表示できるシステムを含む。
【発明の詳細な説明】
【技術分野】
【０００１】  この発明は、インターネット接続可能な携帯電話機において、ある特定の数桁の数字のキー入力と続けて相手先の電話番号をキー入力するだけで目的のウェブページへアクセスでき表示できるシステム
【背景技術】
【０００２】  携帯電話でウェブページにアクセスする場合、キー入力によりＵＲＬ入力を行っていた。
【発明の開示】
【発明が解決しようとする課題】
【０００３】  しかしながら、以上の技術によれば、携帯電話でウェブページにアクセスする場合、キー入力によりＵＲＬ入力を行っていたため、面倒であった。そこで、この発明は、ある特定の数桁の数字のキー入力と続けて相手先の電話番号をキー入力するだけで目的のウェブページへアクセスでき表示できるシステムを提供することを課題とする。
【課題を解決するための手段】
【０００４】  以上の課題を解決するために、この発明は、インターネット接続可能な携帯電話機において、ある特定の数桁の数字を入力するだけで当システムのサーバーに接続できる機能を携帯電話機に持たせることを特徴とし、当サーバーは複数個の電話番号と各電話番号に対応するウェブページのアドレスが貯蔵されるウェブページアドレスデータベースと、電話番号に対応するウェブページアドレスを検索する機能により、続けて相手先の電話番号をキー入力するだけで、目的のウェブページへアクセスでき表示できるシステムを含む。
【発明の効果】
【０００５】  この発明により、ＵＲＬを入力することなく、ある特定の数桁の数字のキー入力と続けて相手先の電話番号をキー入力するだけで目的のウェブページへ簡単にアクセスし表示できる。
【発明を実施するための最良の形態】
【０００６】  この発明の一実施形態を、図１に示す。
携帯電話機１はインターネット接続可能な携帯電話機で、ある特定の数桁（３桁位）の数字を入力するだけで、当システムのサーバー３に接続できる機能付きの携帯電話。当システムのサーバー３は、複数個の電話番号と各電話番号に対応するウェブページのアドレスが貯蔵されるウェブページアドレスデータベース部と、ウェブページアドレスデータベースから電話番号に対応するウェブページアドレスを検出し，無線インターネット網２への接続部により、目的のウェブページサーバ４へアクセスする。【０００７】「実施形態の効果」
この実施形態によれば、ある特定の数桁（３桁位）の数字を入力するだけで当システムのサーバーに接続可能な携帯電話機１と、電話番号に対応するウェブページアドレスを検索して無線インターネット網２に接続する当システムのサーバー３の働きにより、ある特定の数桁の数字のキー入力と続けて相手先の電話番号をキー入力するだけで目的のウェブページ４へ簡単にアクセスできる。これにより面倒なＵＲＬ入力をしなくて済み、手軽さから携帯電話機によるウェブページアクセス頻度が高まる効果が期待できる。【０００８】「他の実施形態」
図１の実施形態では、ある特定の数桁（３桁位）の数字を入力するとあるが、数字入力の変わりに、別ボタンを携帯電話に設置し当サーバーに接続できるようにしても良い。
又は図１の実施形態では、インターネット接続可能な携帯電話機であるが、インターネット接続可能な携帯通信端末機でもよい。
【産業上の利用可能性】
【０００９】この発明は、携帯電話において、数字入力だけで簡単にウェブページにアクセス出来ることから、主に街の看板に書かれた数字だけのアドレスに大きな効果を発揮する。看板からアドレスである数字が視認出来ればすぐに、電話をかける様にアクセスできるところから容易に、その店の特売情報が得られたり、予約等が出来たりと最新の双方向の有効情報を得ることが出来る。又はチラシ、新聞、書籍等の広告でも同様な効果が期待出来る。アクセスの容易さから、アクセス頻度の高まる可能性があり、情報提供者側も積極的に最新の有効情報を流すよう努力するであろう。この様に多くの人が、電話をかける容易さでＩＴ技術を利用する事になり、地域に密着したＩＴマーケティングによる地域経済の活性化に繋がると思われます。
【図面の簡単な説明】
【００１０】
【図１】この発明の一実施形態を示す概略図である。
【符号の説明】
【００１１】１  インターネット接続可能な携帯電話機        ２  インターネット網
３  当システムのサーバー        ４  ウェブページサーバー
【図１】
2006072945.tif 000003
(57)【要約】【課題】ワイパー等に挟んだ駐車券で確認するシステムでは、管理者は、駐車券に記載された駐車開始時間と超過時間の確認作業が煩わしく、また夜間は記載文字が見難く見誤りなどもあり違反駐車が減少しないなど駐車場管理の問題がある。【解決手段】利用者は駐車場利用時に定額の駐車料金を支払い、管理者が駐車車両を確認して駐車料金が精算済みか否かをチェックする駐車システムに用いる駐車券であって、前記駐車券による駐車情報の記載と、駐車券は一定時間後に変色することで駐車時間超過を判別し、違反駐車の取り締まりを容易に行える。【選択図】図１
2006072587.tif 000002
【特許請求の範囲】
【請求項１】
利用者は駐車場利用時に定額の駐車料金を支払い、管理者が駐車車両を確認して駐車料金が精算済みか否かをチェックする駐車システムに用いる駐車券であって、前記駐車券による駐車情報の記載と、駐車券の変色を特徴とする駐車場管理システム。
【請求項２】
請求項１記載の駐車券において、一定時間後に変色することで駐車時間超過を判別し、違反駐車の取り締まりを容易に行える事を特徴とする駐車場管理システム。
【発明の詳細な説明】
【技術分野】
【０００１】
本発明は、駐車場の管理装置に係わり、特に、時間超過の違反車を監視するのに最適な駐車場の管理装置システムに関する。
【背景技術】
【０００２】
従来、繁華街の道路沿いを利用し、１回の利用毎に定額の駐車料金を支払う簡易な有料駐車場がある。従来のこの種の簡易有料駐車場における利用システムの一例を説明すると、出入りが自由な駐車場に料金ポストが設置され、利用者は、駐車場内の空きスペースに車両を駐車させ、現金を料金ポストに投入し、駐車券を車両のワイパー等に挟んでいる。管理者は適当な時間帯に料金ポスト内の料金回収を行う、その際に、その車両が駐車時間を超過していないかをワイパー等に挟んだ駐車券で確認する。
【特許文献１】特開２００３−２５６８９０号公報
【特許文献２】特開２００４−１７７７０５号公報
【発明の開示】
【発明が解決しようとする課題】
【０００３】
しかしながら、上述したようなワイパー等に挟んだ駐車券で確認するシステムでは、管理者は、駐車券に記載された駐車開始時間と超過時間の確認作業が煩わしく、また夜間は記載文字が見難く見誤りなどもあり違反駐車が減少しないなど駐車場管理の問題がある。
【課題を解決するための手段】
【０００４】
上記目的を達成するため、請求項１記載の発明は、利用者は駐車場利用時に定額の駐車料金を支払い、管理者が駐車車両を確認して駐車料金が精算済みか否かをチェックする駐車システムに用いる駐車券であって、前記駐車券による駐車情報の記載と、駐車券の変色を特徴とする。また、請求項２記載の発明は、請求項１記載の発明において、前記駐車券は一定時間後に変色することで駐車時間超過を判別し、違反駐車の取り締まりを容易に行える事を特徴とする。
【発明の効果】
【０００５】
本発明の請求項１記載の発明によれば、変色する駐車券で駐車料金が精算済みか否かをチェックすることができる。
本発明の請求項２記載の発明によれば、請求項１記載の発明による変色する駐車券は、一定時間後に変色することで規定時間を超過した車両を簡易に判別し、違反駐車の取り締まりを容易に行える事ができる。
【発明を実施するための最良の形態】
【０００６】
駐車券の変色には、経時変色シートおよびそれに用いるインクを使用することで実現した。
【実施例】
【０００７】
以下、本発明の実施例を図面に基づいて説明する。図1は、本発明に係る駐車場管理システムの実施例を示す構成図である。また、図２は、図1に示した駐車場管理システムの駐車券の印刷例を示す図である。
【０００８】
図１において、道路沿いに設けられた駐車場４はスペースが空いているときは自由に駐車することができる、運転手は車両３を駐車場４に駐車が完了すると料金ポスト１に定額の料金を投入する、料金ポスト１は投入と同時に駐車券２を発行する。
【０００９】
前記、発行された駐車券２には料金領収と入庫の年月日と時間と注意事項が記載されている。
【００１０】
運転手は前記駐車券２を管理者５が確認しやすいようにワイパー等に挟んで駐車場から離れる。
【００１１】
管理者５は適当な時間帯に料金ポスト１内の料金回収を行う、その際に、その車両３が駐車時間を超過していないかをワイパー等に挟んだ駐車券２で確認する。
【００１２】
駐車券２は規定時間内では変色しないが、規定時間を超えると駐車券２は変色する。
【００１３】
経時変色シートおよびそれに用いるインクは、特開２００４−１７７７０５号公報による、シート基材上の所定部に異なる発色剤を含む２種以上の徐放性発色剤含有マイクロカプセルを含むインクを塗布してなる徐放性発色剤含有マイクロカプセルインク層が形成され、シート基材上の所定部に顕色剤層が形成され、前記顕色剤層上に異なる発色剤を含む２種以上の徐放性発色剤含有マイクロカプセルを含むインクを塗布してなる徐放性発色剤含有マイクロカプセルインク層が形成されてなる、シート基材上の所定部に顕色剤層が形成されたシート基材と、シート基材上の所定部に異なる発色剤を含む２種以上の徐放性発色剤含有マイクロカプセルを含むインクを塗布してなる徐放性発色剤含有マイクロカプセルインク層が形成されてなる他のシート基材とを、前記顕色剤層と徐放性発色剤含有マイクロカプセルインク層が重ね合わせることができるように構成し、前記シート基材の少なくとも１つが透明性を有するシート基材、シート基材上の所定部に異なる発色剤を含む２種以上の徐放性発色剤含有マイクロカプセルおよび顕色剤を含むインクを塗布してなる徐放性発色剤含有マイクロカプセルインク層が形成されてなる、少なくとも異なる発色剤を含む２種以上の徐放性発色剤含有マイクロカプセルあるいはさらに顕色剤を含むインクを使用する。
【産業上の利用可能性】
【００１４】
駐車スペースを有効に利用し、効率的に車両駐車を可能し、違法駐車を減少させることで交通渋滞を解消しスムーズな車両運行を行うことができる。
【図面の簡単な説明】
【００１５】
【図１】本発明に係る駐車場管理システムの実施例を示す構成図である。
【図２】駐車券の印刷例を示す図である。
【符号の説明】
【００１６】
１  料金ポスト
２  駐車券
３  車両
４  駐車場
５  管理者
【図１】
2006072587.tif 000003
【図２】
2006072587.tif 000004
(57)【要約】【課題】従来は、患者等が移動する場合に、紐や紐に接続されている挿入片をぶら下げたままである。  また、挿入片が抜ける前に患者との係止が外れてしまうと正しく検出できない等の問題があった。【解決手段】そこで、本発明は一対の挟持片を開閉自在に相互に軸着すると共にこれら挟持片の先端を弾性部材により常時閉じさせるようにするとともに前記挟持片の挟合面の夫々に電極を設け接点を構成する挟持部と、前記電極の夫々に接続されたケーブルと、前記ケーブルに取付けられた紐状の調整手段とからなる挟持検出装置を用いて課題を解決するものである。【選択図】図１
2006072464.tif 000002
【特許請求の範囲】
【請求項１】
一対の挟持片を開閉自在に相互に軸着すると共にこれら挟持片の先端を弾性部材により常時閉じさせるようにするとともに前記挟持片の挟合面の夫々に電極を設け接点を構成する挟持部と、前記電極の夫々に接続されたケーブルと、前記ケーブルに取付けられた紐状の調整手段とからなる挟持検出装置。
【請求項２】
２線間の導通を検出し、導通時に報知を行う移動検出装置において、前記２線に請求項１記載の挟持検出装置を接続したことを特徴とする移動検出装置。
【発明の詳細な説明】
【技術分野】
【０００１】
本発明は患者等がベッドから離れるなどの移動を行った際に、その移動を検出する検出装置に関する。
【背景技術】
【０００２】
移動を検出する方法は様々な物が考案されているが、医療現場においては構造が簡易であり動作が確実なものが求められる。  例えば開示する特許文献のようなものである。挿入穴に挿入される挿入片が抜けた際に報知を行うものである。挿入片には紐が接続されており、紐の他の一方は患者等に係止されている。患者が移動した場合には紐が引かれ、結果挿入片が挿入穴から抜けるようになされている。
【特許文献１】特開２００２−１４３０９９  公開公報
【発明の開示】
【発明が解決しようとする課題】
【０００３】
ところで、開示した特許文献の例では以下の問題がある。  患者等が移動する場合に、紐や紐に接続されている挿入片をぶら下げたままである。  また、挿入片が抜ける前に患者との係止が外れてしまうと正しく検出できない。    
【課題を解決するための手段】
【０００４】
そこで、本発明は一対の挟持片を開閉自在に相互に軸着すると共にこれら挟持片の先端を弾性部材により常時閉じさせるようにするとともに前記挟持片の挟合面の夫々に電極を設け接点を構成する挟持部と、
前記電極の夫々に接続されたケーブルと、
前記ケーブルに取付けられた紐状の調整手段と
からなる挟持検出装置を用いて課題を解決するものである。
【発明の効果】
【０００５】
上記の構造を有する挟持検出装置のケーブルの一端を警報装置等に接続し、挟持部で患者の衣服の襟などを挟持する。  また、調整手段でケーブルの自由度を規制するので、ケーブルの自由度を超える移動を患者が行った際には挟持部が被挟持体より外れ警報が成されるため、課題を解決するとともに好適な移動警報が行える。      
【発明を実施するための最良の形態】
【０００６】
図１は本発明の挟持検出装置である。
一対の挟持片を開閉自在に相互に軸着すると共にこれら挟持片の先端を弾性部材により常時閉じさせるようになっている。
また、挟持片の挟合面の夫々に電極を設け、接点を構成する。
電極の夫々にはケーブルが接続される。
ケーブルの中間に紐状の調整手段を設ける。
【０００７】
以上の構成で、ケーブルの一端を警報装置等に接続する。また挟持部は患者衣服等、例えば襟等を挟持させる。        
【０００８】
次に紐状の調整手段の一端をベッド柵等に結ぶ。この際には、患者が許容範囲を超えたときに挟持部が外れるように長さを調整する。    
【図面の簡単な説明】
【０００９】
【図１】・・・本発明に係る挟持検出装置
【図２】・・・本発明に係る移動検出装置
【図１】
2006072464.tif 000003
【図２】
2006072464.tif 000004
(57)【要約】【課題】  眼鏡フレーム両側のテンプルに取り付けたサイドパッドを頬骨の上面に当てて支えるようにする。鼻パッドを取り去る事で視界を広げ顔の正面にフレームの接触が無く軽快で跡形の付かない、デザインの多様性を広げるサイドパッド眼鏡フレームを提供する。【解決手段】  眼鏡フレーム両側のテンプル丁番の直後に、先端を取り付け後方へ延ばした後、下方へ屈曲させ、更に後方へ屈曲させた加工変形しやすい素材のアームにパッドを取り付ける。アームの屈曲角度を工具等を用いて自在に調整する事が出来るので個々の頬骨前部上面にパッドの位置を正確に合わせる事が出来る様にした。固定式のアームなので一度調整すると長期間再調整する必要がない。【選択図】  図１
2006072275.tif 000002
【特許請求の範囲】
【請求項１】
眼鏡フレーム両側のテンプルの内面に、固定式アームを取り付け、頬骨の上面でフレームを支えるようにしたサイドパッド眼鏡フレーム。
【請求項２】
上記固定式アームは先端を、請求項１のテンプル丁番の直後に取り付け、後方へ延ばした後、下方へ屈曲させ、更に後方へ屈曲させ、後端にパッドを取り付けて、パッドの位置を調整出来るようにした請求項１のサイドパッド眼鏡フレーム。
【請求項３】
上記固定式アームを取り付けたことにより、鼻パッド及び鼻パッド用アームを、取り外した請求項１のサイドパッド眼鏡フレーム。
【発明の詳細な説明】
【技術分野】
【０００１】  この発明は、眼鏡フレームの鼻パッドの代わりに、左右の両テンプルに側頭部で固定するためのアームとパットをつけた眼鏡に関するものである。
【背景技術】
【０００２】  従来の眼鏡フレームはレンズとレンズの間に取り付けた鼻パッドを介して鼻の上部で支えられている。
【発明の開示】
【発明が解決しようとする課題】
【０００３】  眼鏡フレームの鼻パッドの代わりに、両側のテンプルに取り付けたサイドパッドを、頬骨の上面に当てて支えるようにすることで、顔に対する負担を軽減し、デザインの多様性を広げるサイドパッド眼鏡フレームを提供する。
【課題を解決するための手段】
【０００４】  眼鏡フレーム両側のテンプル丁番の直後に、先端を取り付け後方へ延ばした後、下方へ屈曲させ、更に後方へ屈曲させたアームにパッドを取り付け、アームの屈曲角度を調整する事により、個々の頬骨上面にパッドの位置を合わせる事が出来る様にした。
【発明の効果】
【０００５】  鼻パッドを無くしたことで眉間への圧迫感を除きパッドの跡形が付かないので眼鏡使用による化粧崩れが無くなる。【０００６】  鼻パッドを無くしたことで視界が広がり、さらに左右の頬骨上面に荷重が分散されるため眼鏡の使用感が軽減される。
【発明を実施する最良の形態】
【０００７】  眼鏡フレーム両側のテンプル丁番の直後に、先端を取り付け後方へ延ばした後、下方へ屈曲させ、更に後方へ屈曲させた加工変形しやすい素材のアームにパッドを取り付る。アームの屈曲角度を工具等を用いて調整する事により、個々の頬骨前部上面にパッドの位置を合わせる事が出来る様にした。固定式のアームなので一度調整すると長期間再調整する必要がない。
【産業上の利用可能性】
【０００８】  鼻パッドを無くしたことで、ブリッジの形状、素材が自由になり、フレームデザインの幅が広がる。【０００９】  衝突、接触時の安全性が高まるので、スポーツ等での利用が考えられる。
【図面の簡単な説明】
【００１０】
【図１】  サイドパッド眼鏡フレームを示した斜視図である。
【図２】  サイドパッド眼鏡フレームのテンプルの構成部品を示した平面図である。
【図３】  サイドパッド眼鏡フレームのテンプルにサイドパッドの取り付け部を示した平面図である。
【符号の説明】
１  眼鏡のテンプル
２  アーム
３  パッド用金具
４  パッド
【図１】
2006072275.tif 000003
【図２】
2006072275.tif 000004
【図３】
2006072275.tif 000005